(57)【要約】【課題】ロータが有する円筒状の磁石ユニットが、一対の半筒状の永久磁石がそれらの永久磁石の周方向両端を相互に突き合わせるように組み合わされて構成されるようにしたブラシレスモータにおいて、ロータの製作を容易としつつ、製作時に永久磁石の減磁が生じないようにする。【解決手段】回転軸２６に対する軸線まわりの相対回転ならびに軸線方向相対移動が阻止された状態で回転軸２６に組み付けられる一対の永久磁石２４に、それらの永久磁石２４の周方向両端を相互に突き合わせる側に付勢するばね力を発揮して回転軸２６に磁石ユニット２５を保持する保持カバー４５が被せられ、回転軸２６の軸線方向で保持カバー４５の両端部に、磁石ユニット２５に係合する折り曲げ部４６ｃがそれぞれ形成される。【選択図】      図１
2018082592.tif 000002
【特許請求の範囲】
【請求項１】
一対の半筒状の永久磁石（２４）がそれらの永久磁石（２４）の周方向両端を相互に突き合わせるように組み合わされて成る円筒状の磁石ユニット（２５）ならびに当該磁石ユニット（２５）に同軸に結合される回転軸（２６）を有するロータ（１９）と、そのロータ（１９）を囲繞するステータ（１８）とを備えるブラシレスモータにおいて、前記回転軸（２６）に対する軸線まわりの相対回転ならびに軸線方向相対移動が阻止された状態で前記回転軸（２６）に組み付けられる一対の前記永久磁石（２４）に、それらの永久磁石（２４）の周方向両端を相互に突き合わせる側に付勢するばね力を発揮して前記回転軸（２６）に前記磁石ユニット（２５）を保持する保持カバー（４５）が被せられ、前記回転軸（２６）の軸線方向で前記保持カバー（４５）の両端部に、前記磁石ユニット（２５）に係合する折り曲げ部（４６ｃ）がそれぞれ形成されることを特徴とするブラシレスモータ。
【請求項２】
前記回転軸（２６）の軸線方向に沿う前記磁石ユニット（２５）の両端面に、前記折り曲げ部（４６ｃ）の一部を受容する係止凹部（５０）がそれぞれ形成されることを特徴とする請求項１に記載のブラシレスモータ。
【請求項３】
前記保持カバー（４５）が、前記回転軸（２６）の軸線方向に並ぶとともに前記回転軸（２６）の軸線に直交する仮想平面（ＰＬ）を挟んで相互に連結される一対の同一形状のカバー部材（４６）から成り、前記カバー部材（４６）は、前記永久磁石（２４）に被せられた状態で前記回転軸（２６）の軸線方向に延びるスリット（４７）が周方向１箇所に生じるようにして横断面形状がＣ字状となるカバー主部（４６ａ）と、当該カバー主部（４６ａ）の前記仮想平面（ＰＬ）側端部から突出して山字形に形成される連結突部（４６ｂ）と、前記カバー主部（４６ａ）の前記仮想平面（ＰＬ）とは反対側の端部から突出するようにして前記カバー主部（４６ａ）の周方向両端部に連設される一対の前記折り曲げ部（４６ｃ）とを一体に有し、前記カバー主部（４６ａ）が前記永久磁石（２４）に被せられた状態で前記連結突部（４６ｂ）を嵌め込むことを可能とした山形の連結凹部（４８）を協働して構成する一対の凹部（４９）が、前記カバー主部（４６ａ）の前記仮想平面（ＰＬ）側の端部の周方向両端部に前記スリット（４７）を相互間に挟むようにして形成されることを特徴とする請求項２に記載のブラシレスモータ。
【請求項４】
一対の前記永久磁石（２４）が、それらの永久磁石（２４）の突き合わせ部（４０）で相互に吸引する磁力が生じるように着磁されることを特徴とする請求項１〜３のいずれか１項に記載のブラシレスモータ。
【発明の詳細な説明】
【技術分野】
【０００１】
本発明は、一対の半筒状の永久磁石がそれらの永久磁石の周方向両端を相互に突き合わせるように組み合わされて成る円筒状の磁石ユニットならびに当該磁石ユニットに同軸に結合される回転軸を有するロータと、そのロータを囲繞するステータとを備えるブラシレスモータに関する。
【背景技術】
【０００２】
一対の半筒状の永久磁石がそれらの永久磁石の周方向両端を相互に突き合わせるように組み合わされて成る磁石ユニットが回転軸に同軸に結合されてロータが構成されるようにしたブラシレスモータが、特許文献１で既に知られている。
【先行技術文献】
【特許文献】
【０００３】
【特許文献１】特開平７−５９３０４号公報
【発明の概要】
【発明が解決しようとする課題】
【０００４】
上記特許文献１で開示されたものでは、一対の半筒状の永久磁石がそれらの永久磁石の周方向両端を相互に突き合わせた状態で型内に挿入され、型内に注入される樹脂で一対の前記永久磁石を被覆する円筒状のケーシングを形成するようにしており、一対の永久磁石を型に入れて樹脂で固めるので製作が面倒であり、樹脂の成形熱で永久磁石が減磁する可能性がある。
【０００５】
本発明は、かかる事情に鑑みてなされたものであり、ロータの製作を容易としつつ、製作時に永久磁石の減磁が生じないようにしたブラシレスモータを提供することを目的とする。
【課題を解決するための手段】
【０００６】
上記目的を達成するために、本発明は、一対の半筒状の永久磁石がそれらの永久磁石の周方向両端を相互に突き合わせるように組み合わされて構成される円筒状の磁石ユニットならびに当該磁石ユニットに同軸に結合される回転軸を有するロータと、そのロータを囲繞するステータとを備えるブラシレスモータにおいて、前記回転軸に対する軸線まわりの相対回転ならびに軸線方向相対移動が阻止されるようにして前記回転軸に装着される一対の前記永久磁石に、それらの永久磁石の周方向両端を相互に突き合わせる側に付勢するばね力を発揮する保持カバーが被せられ、前記回転軸の軸線方向で前記保持カバーの両端部に、前記磁石ユニットに係合する折り曲げ部がそれぞれ形成されることを第１の特徴とする。
【０００７】
また本発明は、第１の特徴の構成に加えて、前記回転軸の軸線方向で前記磁石ユニットの両端面に、前記折り曲げ部の一部を受容する係止凹部がそれぞれ形成されることを第２の特徴とする。
【０００８】
本発明は、第２の特徴の構成に加えて、前記保持カバーが、前記回転軸の軸線方向に並ぶとともに前記回転軸の軸線に直交する平面に沿う連結面で相互に連結される一対の同一形状のカバー部材から成り、前記カバー部材は、前記永久磁石に被せられた状態で前記回転軸の軸線方向に延びるスリットが周方向１箇所に生じるようにして横断面形状がＣ字状となるカバー主部と、当該カバー主部の前記連結面側端部から突出して山字形に形成される連結突部と、前記カバー主部の前記連結面とは反対側の端部から突出するようにして前記カバー主部の周方向両端部に連設される一対の前記折り曲げ部とを一体に有し、前記カバー主部が前記永久磁石に被せられた状態で前記連結突部を嵌め込むことを可能とした山形の連結凹部を協働して構成する一対の凹部が、前記カバー主部の前記連結面側の端部の周方向両端部に前記スリットを相互間に挟むようにして形成されることを第３の特徴とする。
【０００９】
さらに本発明は、第１〜第３の特徴の構成のいずれかに加えて、一対の前記永久磁石が、それらの永久磁石の突き合わせ部で相互に吸引する磁力が生じるように着磁されることを第４の特徴とする。
【発明の効果】
【００１０】
本発明の第１の特徴によれば、相互に組み合わされるとともに回転軸との相対回転および軸方向相対移動を不能とした一対の永久磁石に保持カバーを被せることで、一対の永久磁石がそれらの周方向両端を相互に突き合わせて成る磁石ユニットが回転軸に相対回転および軸方向相対移動を不能として組み付けられ、しかも保持カバーの折り曲げ部が磁石ユニットの軸方向両端部に係合されることで保持カバーおよび磁石ユニットの軸方向相対移動も阻止されることになり、ロータの製作時に、型内への樹脂の注入や、保持カバーの焼きばめ、圧入および接着等が不要であり、製作が容易となるとともに、永久磁石に熱が作用することもないので永久磁石の減磁が生じることもない。
【００１１】
また本発明の第２の特徴によれば、折り曲げ部の一部を受容する係止凹部が回転軸の軸線方向で磁石ユニットの両端面に形成されるので、折り曲げ部の重量を係止凹部で概ね相殺することを可能として良好な回転バランスを得ることが可能であり、しかも永久磁石および保持カバーの軸方向相対移動を阻止するだけでなく相対回転も阻止することができる。
【００１２】
本発明の第３の特徴によれば、保持カバーを同一形状である一対のカバー部材で構成することで製作が容易となり、しかも一対のカバー部材を連結するための連結突部ならびにその連結突部を嵌め込むことを可能とした連結凹部が山形であることで、回転軸の軸方向に並ぶ一対のカバー部材を、軸方向相対移動および相対回転が不能となるように連結することができる。
【００１３】
さらに本発明の第４の特徴によれば、一対の永久磁石が、それらの永久磁石の突き合わせ部で相互に磁力で吸引することにより、それらの永久磁石の組み合わせ状態を確実に維持して磁石ユニットを回転軸に確実に固定することができる。
【図面の簡単な説明】
【００１４】
【図１】燃料供給装置の縦断面図であって図２の１−１線に沿う断面図である。
【図２】ロータを図１の２矢視方向から見た図である。
【図３】図２の３Ａ−３Ａ線に沿うロータの断面を（Ａ）、図２の３Ｂ−３Ｂ線に沿うロータの断面を（Ｂ）で示す図である。
【図４】カバー部材の斜視図である。
【発明を実施するための形態】
【００１５】
本発明の実施の形態を添付の図面を参照しながら説明すると、先ず図１において、たとえば車載エンジンに燃料を供給するための燃料供給装置は、ウエスコポンプ５と、該ウエスコポンプ５を駆動するブラシレスモータ６とが、中空の円筒状である共通のハウジング７に内蔵、結合されて成る。
【００１６】
前記ウエスコポンプ５は、放射状の多数の溝８を外周に有するインペラ９と、そのインペラ９の外周を臨ませるようにして円弧状に延びるポンプ室１０を有して前記インペラ９を回転可能に収納するポンプケース１１とを備える。前記ポンプケース１１は、外側ケース半体１２と、内側ケース半体１３とで分割構成されており、外側ケース半体１２および内側ケース半体１３間に前記インペラ９が介装されるとともに前記ポンプ室１０が画成される。
【００１７】
前記ポンプケース１１は、軸方向外方に臨んで前記ハウジング７の内面に形成される環状段部７ａと、前記ハウジング７の前記ウエスコポンプ５側の端部に形成される第１のかしめ加工部７ｂとで挟持されるようにして、前記ハウジング７内に収容される。
【００１８】
前記ブラシレスモータ６は、ステータコア１５と、そのステータコア１５に装着されるボビン１７と、そのボビン１７を介して前記ステータコア１５に巻装されるコイル１６とで構成されるステータ１８と、そのステータ１８で同軸に囲繞されるロータ１９とを備える。
【００１９】
前記ボビン１７は、前記ステータコア１５および前記コイル１６間に介装される絶縁部材であり、前記ステータコア１５の軸線方向に分割することを可能として対をなす一対のボビン構成部材２０，２１から成る。
【００２０】
前記ステータ１８の一部は樹脂製の被覆部材２２で被覆される。この被覆部材２２は、前記ステータ１８の軸方向両端部をそれぞれ被覆する第１および第２の端部被覆部２２ａ，２２ｂと、前記ステータ１８の周方向に間隔をあけた複数箇所で前記第１および第２の端部被覆部２２ａ，２２ｂ間を連結する複数の連結部（図示せず）とを一体に有し、第１の端部被覆部２２ａは、前記ウエスコポンプ５側で前記ステータ１８の端部を被覆するように形成され、第２の端部被覆部２２ｂは、前記ウエスコポンプ５とは反対側で前記ステータ１８の端部を被覆するように形成される。
【００２１】
前記ブラシレスモータ６は、前記ウエスコポンプ５の前記ポンプケース１１と、前記被覆部材２２のうち第１の端部被覆部２２ａとの間に円板状のスペーサ２３を介在させて前記ハウジング７に挿入され、前記ハウジング７の前記ウエスコポンプ５とは反対側の端部に形成される第２のかしめ加工部７ｃを前記ウエスコポンプ５とは反対側で前記被覆部材２２における第２の端部被覆部２２ｂに係合することで、前記ブラシレスモータ６が前記ハウジング７に内蔵される。
【００２２】
前記ロータ１９は、周方向に複数の磁極に着磁される一対の半筒状の永久磁石２４がそれらの永久磁石２４の周方向両端を相互に突き合わせるように組み合わされて成る円筒状の磁石ユニット２５と、その磁石ユニット２５に同軸に結合される回転軸２６とを備える。
【００２３】
前記回転軸２６の前記ポンプケース１１側の端部は、前記スペーサ２３を貫通し、前記ポンプケース１１との間に第１の滑り軸受２７を介在させて前記ポンプケース１１内に突入される。前記ポンプケース１１内で前記回転軸２６にインペラ９が相対回転不能に取付けられるものであり、この実施の形態では、前記インペラ９の中央部には非円形の取付け孔３６が設けられ、前記インペラ９に対応する部分で前記回転軸２６の端部には、前記取付け孔３６の断面形状に対応した断面形状の非円形部２６ａが設けられる。前記非円形部２６ａが前記取付け孔３６に挿入されることで、前記インペラ９が前記回転軸２６の多少の傾きを許す程度の遊びを持って前記回転軸２６に相対回転不能に取付けられ、前記ポンプケース１１の前記外側ケース半体１２および前記内側ケース半体１３で、前記インペラ９の軸方向に沿う移動が阻止される。
【００２４】
前記ポンプケース１１の前記内側ケース半体１３には、前記回転軸２６を同軸に囲繞する円筒状の軸受ハウジング１３ａが一体に設けられており、その軸受ハウジング１３ａおよび前記回転軸２６間に、第１の滑り軸受２７が介装される。
【００２５】
前記ポンプケース１１における前記外側ケース半体１２には、前記ポンプ室１０の周方向一端部に通じる吸込ポート２９が形成され、前記内側ケース半体１３には、前記ポンプ室１０の周方向他端部に通じる吐出ポート３０が形成される。しかも外側ケース半体１２には、前記吸込ポート２９に直接連通する円筒状の吸込管１２ａが外向きに一体に突設されるととともに、ポンプケース１１内でのポンプ作用に伴って生じた気泡を排出するための脱気孔３１が形成される。
【００２６】
前記ブラシレスモータ６における前記ロータ１９および前記ステータ１８間には、前記吐出ポート３０に通じる燃料通路３２が形成され、前記被覆部材２２のうち前記ウエスコポンプ５とは反対側で前記ステータ１８の一端部を覆う第２の端部被覆部２２ｂには、前記回転軸２６の前記ウエスコポンプ５とは反対側の端部が第２の滑り軸受２８を介して回転自在に支持される。
【００２７】
また前記第２の端部被覆部２２ｂおよび前記第２の滑り軸受２８間の周方向複数箇所には、前記燃料通路３２に通じる通路３７が形成される。また前記第２の端部被覆部２２ｂには、ポンプ作動時に高圧燃料を吐出するための燃料吐出口３４を先端に有する円筒状の吐出管２２ｂａが一体に突設され、前記第２の端部被覆部２２ｂ内には、前記通路３７を前記燃料吐出口３４に通じさせる通路室３８が形成される。さらに前記吐出管２２ｂａ内には、前記通路室３８から前記燃料吐出口３４側へのみ燃料の流動を許容する逆流防止用のチェック弁３５が収納される。
【００２８】
図２および図３を併せて参照して、前記ロータ１９において、一対の半筒状の前記永久磁石２４は、前記回転軸２６に対する軸線まわりの相対回転ならびに軸線方向相対移動が阻止された状態で前記回転軸２６に組み付けられる。前記回転軸２６の外周には、当該回転軸２６に対する前記永久磁石２４の軸線まわりの相対回転を阻止するために、一対の前記永久磁石２４に係合するようにして軸線と平行に延びる少なくとも１つの平面部３９が形成されるものであり、この実施の形態では、一対の前記永久磁石２４の周方向両端を突き合わせる一対の突き合わせ部４０が前記回転軸２６の一直径線Ｌ上に配置されるのに対して、図３（Ａ）で明示するように、前記一直径線Ｌと直交する一対の平面部３９が、一対の永久磁石２４の内面に一対ずつそれぞれ形成される平面状の係止面４１に係合するようにして前記回転軸２６の外周に形成される。
【００２９】
ところで一対の前記永久磁石２４は、図３（Ａ），（Ｂ）で明示するように、Ｎ極およびＳ極が周方向で交互に配置されるようにして周方向に複数（この実施の形態では４つ）の磁極に着磁され、しかも一方の永久磁石２４のＮ極と、他方の永久磁石２４のＳ極とが前記突き合わせ部４０の両側に配置されるようにして、一対の前記永久磁石２４の前記突き合わせ部４０で相互に吸引する磁力が生じるように着磁される。
【００３０】
また前記回転軸２６の外周のうち前記平面部３９を除く部分と、前記永久磁石２４の内面との間には空隙４２が形成される。この空隙４２は、ロータ１９の表面磁束に影響が生じない程度に永久磁石２４をその周方向の一部で薄肉とすることによって形成されるものであり、永久磁石２４が駄肉を有することがないようにして軽量化および低コスト化を図ることができる。
【００３１】
前記回転軸２６の外周には、当該回転軸２６に対する前記永久磁石２４の軸線方向相対移動を阻止するために、一対の前記平面部３９を相互間に挟む一対の環状の係止溝４３が形成され、前記回転軸２６の軸線方向に沿う前記永久磁石２４の両端部には、前記係止溝４３に係合する内向き鍔部２４ａが半径方向内方に張り出すようにしてそれぞれ一体に形成される。
【００３２】
一対の前記永久磁石２４には、それらの永久磁石２４の周方向両端を相互に突き合わせる側に付勢するばね力を発揮して前記回転軸２６に前記磁石ユニット２５を保持する保持カバー４５が被せられ、前記回転軸２６の軸線方向で前記保持カバー４５の両端部には、前記磁石ユニット２５に係合する折り曲げ部４６ｃがそれぞれ形成される。
【００３３】
図２に注目して、前記保持カバー４５は、前記回転軸２６の軸線方向に並ぶとともに前記回転軸２６の軸線に直交する仮想平面ＰＬを挟んで相互に連結される一対のカバー部材４６から成り、それらのカバー部材４６は、非磁性材料たとえばステンレス鋼によって同一形状に形成される。
【００３４】
図４を併せて参照して、前記カバー部材４６は、前記永久磁石２４に被せられた状態で前記回転軸２６の軸線方向に延びるスリット４７が周方向１箇所に生じるようにして横断面形状がＣ字状となるカバー主部４６ａと、当該カバー主部４６ａの前記仮想平面ＰＬ側端部から突出して山字形に形成される連結突部４６ｂと、前記カバー主部４６ａの前記仮想平面ＰＬとは反対側の端部から突出するようにして前記カバー主部４６ａの周方向両端部に連設される一対の前記折り曲げ部４６ｃとを一体に有するように形成される。
【００３５】
また前記カバー主部４６ａが前記永久磁石２４に被せられた状態で前記連結突部２４ｂを嵌め込むことを可能とした山形の連結凹部４８を協働して構成する一対の凹部４９が、前記カバー主部４６ａの前記仮想平面ＰＬ側の端部の周方向両端部に前記スリット４７を相互間に挟むようにして形成される。
【００３６】
このようなカバー部材４６は、前記スリット４７を拡げるように拡開しつつ前記永久磁石２４に被せられ、永久磁石２４に被せた状態でのかしめ加工によって前記折り曲げ部４６ｃが前記回転軸２６の軸線方向に沿う前記磁石ユニット２５の両端面に係合するように折り曲げられるものであり、一対の前記折り曲げ部４６ｃの一部を受容する係止凹部５０が前記磁石ユニット２５の前記両端面に形成される。この実施の形態では、一対のカバー部材４６のうち一方のカバー部材４６の前記スリット４７が前記磁石ユニット２５を構成する一対の永久磁石２４の一方の外周の周方向中間部を外部に臨ませる位置に配置され、他方のカバー部材４６の前記スリット４７が他方の永久磁石２４の外周の周方向中間部を外部に臨ませる位置に配置されていることにより、一方の永久磁石２４の軸方向一方の端面の周方向中間部と、他方の永久磁石２４の軸方向他方の端面の周方向中間部とに前記係止凹部５０が形成される。
【００３７】
次にこの実施の形態の作用について説明すると、回転軸２６に対する軸線まわりの相対回転ならびに軸線方向相対移動が阻止された状態で前記回転軸２６に組み付けられる一対の永久磁石２４に、それらの永久磁石２４の周方向両端を相互に突き合わせる側に付勢するばね力を発揮して前記回転軸２６に磁石ユニット２５を保持する保持カバー４５が被せられ、前記回転軸２６の軸線方向で前記保持カバー４５の両端部に、前記磁石ユニット２５に係合する折り曲げ部４６ｃがそれぞれ形成されるので、一対の永久磁石２４がそれらの周方向両端を相互に突き合わせて成る磁石ユニット２５が回転軸２６に相対回転および軸方向相対移動を不能として組み付けられ、しかも保持カバー４５の折り曲げ部４６ｃが磁石ユニット２５の軸方向両端部に係合されることで保持カバー４５および磁石ユニット２５の軸方向相対移動も阻止されることになり、ロータ１９の製作時に、型内への樹脂の注入や、保持カバーの焼きばめ、圧入および接着等が不要であり、製作が容易となるとともに、永久磁石２４に熱が作用することもないので永久磁石２４の減磁が生じることもない。
【００３８】
また前記回転軸２６の軸線方向に沿う前記磁石ユニット２５の両端面に、前記折り曲げ部４６ｃの一部を受容する係止凹部５０がそれぞれ形成されるので、永久磁石２４および保持カバー４５の軸方向相対移動を阻止するだけでなく相対回転も阻止することができる。しかもこの実施の形態では一対の前記折り曲げ部４６ｃが一対の永久磁石２４の一方に係合するものであり、それらの折り曲げ部４６ｃの一部を受容する前記係止凹部５０が前記一方の永久磁石２４の前記端面に形成され、折り曲げ部４６ｃの重量を係止凹部５０で概ね相殺することを可能として良好な回転バランスを得ることが可能である。
【００３９】
また前記保持カバー４５が、前記回転軸２６の軸線方向に並ぶとともに前記回転軸２６の軸線に直交する仮想平面ＰＬを挟んで相互に連結される一対の同一形状のカバー部材４６から成り、前記カバー部材４６は、前記永久磁石２４に被せられた状態で前記回転軸２６の軸線方向に延びるスリット４７が周方向１箇所に生じるようにして横断面形状がＣ字状となるカバー主部４６ａと、当該カバー主部４６ａの前記仮想平面ＰＬ側端部から突出して山字形に形成される連結突部４６ｂと、前記カバー主部４６ａの前記仮想平面ＰＬとは反対側の端部から突出するようにして前記カバー主部４６ａの周方向両端部に連設される一対の前記折り曲げ部４６ｃとを一体に有し、前記カバー主部４６ａが前記永久磁石２４に被せられた状態で前記連結突部４６ｂを嵌め込むことを可能とした山形の連結凹部４８を協働して構成する一対の凹部４９が、前記カバー主部４６ａの前記仮想平面ＰＬ側の端部の周方向両端部に前記スリット４７を相互間に挟むようにして形成されるので、保持カバー４５を同一形状である一対のカバー部材４６で構成することで製作が容易となり、しかも一対のカバー部材４６を連結するための連結突部４６ｂならびにその連結突部４６ｂを嵌め込むことを可能とした連結凹部４８が山形であることで、回転軸２６の軸方向に並ぶ一対のカバー部材４６を、軸方向相対移動および相対回転が不能となるように連結することができる。
【００４０】
さらに一対の前記永久磁石２４が、それらの永久磁石２４の突き合わせ部４０で相互に吸引する磁力が生じるように着磁されるので、それらの永久磁石２４の組み合わせ状態を確実に維持して磁石ユニット２５を回転軸２６に確実に固定することができる。
【００４１】
以上、本発明の実施の形態について説明したが、本発明は上記実施の形態に限定されるものではなく、特許請求の範囲に記載された本発明を逸脱することなく種々の設計変更を行うことが可能である。
【００４２】
たとえば上述の実施の形態では、回転軸２６の外周の平面部３９と、一対の永久磁石２４の突き合わせ部４０とを直交するように前記回転軸２６および前記永久磁石２４の軸線まわりの相対位置が定められていたが、前記平面部３９および前記突き合わせ部４０が同一直線上となるように前記回転軸２６および前記永久磁石２４の軸線まわりの相対位置が定められていてもよい。
【００４３】
また前記係止凹部５０は、永久磁石２４の軸方向の端面の周方向中間部に形成されるように定められていたが、半筒状の永久磁石２４の軸方向一端側の周方向一端部ならびに軸方向他端側の周方向他端部に、一対の永久磁石２４の突き合わせ面に露呈するような切欠き部が形成され、一対の永久磁石２４がそれらの切欠き部を対向させることで前記カバー部材４６の折り曲げ部４６ｃの一部を受容する係止凹部５０が磁石ユニット２４の両端面に形成されてもよい。このようにすれば永久磁石２４を金型成形する際に、係止凹部５０もしくは内向き鍔部２４ａを形成するためのスライド金型が不要であり、金型構造を簡素化することができ、それによりブラシレスモータ６のコスト低減に寄与することができる。
【００４４】
また上述の実施の形態では、保持カバー４５が一対のカバー部材４６から成るようにしたが、単一の保持カバーが一対の永久磁石２４に被せられるようにしてもよい。
【符号の説明】
【００４５】
６・・・ブラシレスモータ
１８・・・ステータ
１９・・・ロータ
２４・・・永久磁石
２５・・・磁石ユニット
２６・・・回転軸
４０・・・突き合わせ部
４５・・・保持カバー
４６・・・カバー部材
４６ａ・・・カバー主部
４６ｃ・・・折り曲げ部
４６ｂ・・・連結突部
４７・・・スリット
４８・・・連結凹部
４９・・・凹部
５０・・・係止凹部
ＰＬ・・・仮想平面
【図１】
2018082592.tif 000003
【図２】
2018082592.tif 000004
【図３】
2018082592.tif 000005
【図４】
2018082592.tif 000006